(57)【特許請求の範囲】
【請求項１】
それぞれ動画像を示す複数の動画像データを記録媒体から再生する装置であって、
前記複数の動画像データのうち選択された再生対象の動画像データの再生開始位置を任意に指定する再生開始位置指定手段と、
前記複数の動画像データを示す複数の代表画像を同一画面上に表示すると共に、前記選択された動画像データの代表画像に関わる所定位置に対して、前記選択された動画像データにおいて前記再生開始位置指定手段により指定された再生開始位置を示すインジケータを表示する表示手段と、
前記再生開始位置指定手段により指定された再生開始位置より前記選択された動画像データを再生するよう前記動画像データの再生動作を制御する制御手段とを備えることを特徴とする画像処理装置。
【請求項２】
前記再生対象の動画像データの代表画像に関わる所定位置はこの代表画像の近傍を含むことを特徴とする請求項１記載の画像処理装置。
【請求項３】
前記記録媒体は、ランダムアクセス可能な記録媒体を含むことを特徴とする請求項１記載の画像処理装置。
【請求項４】
前記表示手段は、前記選択された動画像データの代表画像に対して、この動画像データが選択されていることを示す選択マークを付加して表示することを特徴とする請求項１記載の画像処理装置。
【請求項５】
前記表示手段は、前記再生開始位置指定手段による再生開始位置の指定に伴い、前記インジケータを移動させて表示することを特徴とする請求項１記載の画像処理装置。
【請求項６】
前記表示手段は、前記選択された動画像データの記録時間に対する前記再生開始位置と、前記選択された動画像データの代表画像の表示範囲に対する前記インジケータの表示位置との比が等しくなるよう前記インジケータを表示することを特徴とする請求項１記載の画像処理装置。
【請求項７】
前記表示手段は、前記再生開始位置指定手段による再生開始位置の指定に伴い、前記選択された動画像データの代表画像の表示範囲内で前記インジケータを移動させて表示することを特徴とする請求項６記載の画像処理装置。
【請求項８】
前記表示手段は、前記選択された動画像データの代表画像の表示範囲内において前記代表画像に重ねて前記インジケータを表示することを特徴とする請求項１記載の画像処理装置。
【請求項９】
それぞれ動画像を示す複数の動画像データを記録媒体から再生する装置であって、
前記複数の動画像データを示す複数の代表画像を同一画面上に表示すると共に、前記複数の動画像データのうち選択された再生対象の動画像データの代表画像の表示位置に関わる所定位置に前記選択された動画像データ内における再生開始位置を示すインジケータを表示する表示手段と、
前記インジケータの移動を任意に指示する指示手段と、
前記指示手段による指示に応じて前記インジケータの表示位置を前記選択された動画像データの代表画像に対する所定の表示範囲内で移動するよう前記表示手段を制御すると共に、前記インジケータの表示位置に基づいて前記選択された動画像データにおける再生開始位置を決定し、前記再生開始位置より前記選択された動画像データを再生するよう前記動画像データの再生動作を制御する制御手段とを備えることを特徴とする画像処理装置。
【請求項１０】
前記制御手段は、前記選択された動画像データの代表画像に重ねて前記インジケータを表示させることを特徴とする請求項９記載の画像処理装置。
【請求項１１】
前記制御手段は、前記選択された動画像データの代表画像の表示範囲内で前記インジケータを移動させて表示させることを特徴とする請求項１０記載の画像処理装置。
【請求項１２】
前記制御手段は、前記選択された動画像データの表示範囲を超えて前記インジケータの移動が指示された場合、現在選択されている代表画像の隣に表示されている代表画像の表示範囲内に前記インジケータの表示位置を移動させることを特徴とする請求項１１記載の画像処理装置。
【請求項１３】
前記制御手段は更に、前記選択された動画像データを示す選択マークを前記選択された動画像データの代表画像に付加して表示し、前記現在選択されている動画像データの代表画像の表示領域を超えて前記インジケータの移動が指示された場合、前記選択マークを前記選択されている動画像データの代表画像から前記隣に表示されている代表画像に付け替えて表示させることを特徴とする請求項１２記載の画像処理装置。
【請求項１４】
前記表示手段は、前記複数の動画像データを所定のルールに従ってソートした結果に基づいて前記複数の代表画像を表示し、前記制御手段は前記選択された動画像データの代表画像の表示範囲を超えて前記インジケータの移動が指示された場合、現在選択されている動画像データの前または次の動画像データの代表画像の表示範囲内に前記インジケータの表示位置を移動させることを特徴とする請求項１１記載の画像処理装置。
【請求項１５】
前記制御手段は、前記インジケータの移動に伴い前記選択された動画像データの代表画像を変更して表示することを特徴とする請求項９記載の画像処理装置。
【請求項１６】
それぞれ動画像を示す複数の動画像データを記録媒体から再生する方法であって、
前記複数の動画像データのうち選択された再生対象の動画像データの再生開始位置を任意に指定する再生開始位置指定ステップと、
前記複数の動画像データを示す複数の代表画像を同一画面上に表示すると共に、前記選択された動画像データの代表画像に関わる所定位置に対して、前記選択された動画像データにおいて前記再生開始位置指定ステップにより指定された再生開始位置を示すインジケータを表示する表示ステップと、
前記再生開始位置指定ステップにより指定された再生開始位置より前記選択された動画像データを再生するよう前記動画像データの再生動作を制御する制御ステップとを備えることを特徴とする画像処理方法。
【請求項１７】
それぞれ動画像を示す複数の動画像データを記録媒体から再生する方法であって、
前記複数の動画像データを示す複数の代表画像を同一画面上に表示すると共に、前記複数の動画像データのうち選択された再生対象の動画像データの代表画像の表示位置に関わる所定位置に前記選択された動画像データ内における再生開始位置を示すインジケータを表示手段に表示する表示ステップと、
前記インジケータの移動を任意に指示する指示ステップと、
前記指示ステップによる指示に応じて前記インジケータの表示位置を前記選択された動画像データの代表画像に対する所定の表示範囲内で移動するよう前記表示手段を制御すると共に、前記インジケータの表示位置に基づいて前記選択された動画像データにおける再生開始位置を決定し、前記再生開始位置より前記選択された動画像データを再生するよう前記動画像データの再生動作を制御する制御ステップとを備えることを特徴とする画像処理方法。
【請求項１８】
請求項１６又は１７記載の画像処理方法の各ステップをコンピュータに実行させるためのプログラム。
【請求項１９】
請求項１６又は１７記載の画像処理方法の各ステップをコンピュータに実行させるためのプログラムを記録したコンピュータ読み取り可能な記録媒体。
【発明の詳細な説明】
【０００１】
【発明の属する技術分野】
本発明は、例えば、光磁気ディスクや、ハードディスク、或いはメモリカード等のランダムアクセス可能なメディアを記録媒体とし、当該記録媒体から画像データを再生するディジタルビデオカメラ等に用いて良好な、画像処理装置、画像処理方法、プログラム及び記録媒体に関するものである。
【０００２】
【従来の技術】
従来より例えば、光磁気ディスクや、ハードディスク、或いはメモリカード等のランダムアクセス可能な記録媒体を用いたディジタルビデオカメラは、電子ビューファインダ（以下、「ＥＶＦ」と言う）や、液晶パネル等の表示部と共に、テレビジョン装置（テレビモニタ）やパーソナルコンピュータ（ＰＣ）等の装置に対してデータ出力するための出力端子を具備している。
【０００３】
上記表示部では、撮影時には被写体像（動画像等）が表示され、再生時には再生画像が表示され、また、各種設定や選択時に必要な情報をも表示される。
上記出力端子としてはIEEE1394端子やUSB端子等が用いられ、これにより、ディジタルビデオカメラに対して、テレビモニタやPCの他、ディジタルテレビジョン装置やビデオデッキ等の様々な機器と接続可能となる。
【０００４】
図１２は、ディジタルビデオカメラの表示部（EVFや液晶パネル等）において、撮影により得られた動画像（ビデオクリップ）の中から再生対象とする動画像を選択するための操作画面１５００の一例を示したものである。
【０００５】
操作画面１５００は、ディジタルビデオカメラの表示部だけではなく、例えば、出力端子に対して、表示機能を有する機器が接続された場合、当該機器においても表示される。
【０００６】
操作画面１５００は、上記図１２に示すように、ビデオクリップの代表画像表示領域１５０３〜１５０８、カーソル１５０９、スライダ１５１０、ポインタ１５１１、及びビデオクリップ情報表示領域１５０２を有する。
【０００７】
代表画像表示領域１５０３〜１５０８で表示される代表画像とは、ビデオクリップ（動画像）を構成するフレームの中の1フレーム画像を所定の大きさに縮小した画像（以下、「サムネイル画像」とも言う）である。このような代表画像のデータは、ビデオクリップのファイル内のヘッダ部に設定、或いは必要に応じて生成される。
【０００８】
カーソル１５０９は、代表画像表示領域１５０３〜１５０８で表示された代表画像により、所望する動画像（ビデオクリップ）を選択するためのものであり、ユーザのキー操作により移動する。
上記図１２では、一例として、代表画像表示領域１５０５で示されるビデオクリップが選択されている。
【０００９】
スライダ１５１０及びポインタ１５１１は、代表画像表示領域１５０３〜１５０８に現在表示されている代表画像（サムネイル群）が、全体のビデオクリップの、どの辺りの画像に相当するかをイメージ的に表すものである。
【００１０】
ビデオクリップ情報表示領域１５０２には、カーソル３０９で指されているビデオクリップに関する情報（ビデオクリップ情報）が表示される。
上記図１２では、一例として、ビデオクリップ情報表示領域１５０２には、「１５／３０」及び「ＡＢＣＤ００１５」のビデオクリップ情報が表示されている。「１５／３０」は、ディジタルビデオカメラの記録媒体には３０のビデオクリップが記録されており、これを所定方法の順にソートしたとき、カーソル１５０９により選択されているビデオクリップ（代表画像表示領域１５０５で示されるビデオクリップ）が１５番目であることを示している。
【００１１】
例えば、上記の状態において、ユーザから再生実行のための操作がなされると、カーソル１５０９により選択されているビデオクリップ（代表画像表示領域１５０５で示されるビデオクリップ）の再生が開始されることになる。再生終了すると、再び操作画面１５００の表示に戻る。
【００１２】
或いは、ユーザから再生停止のための操作がなされるまで、順次ビデオクリップが再生され、最後のビデオクリップまで再生が終了すると、再び操作画面１５００の表示に戻る。
【００１３】
尚、操作画面１５００としては、ディジタルビデオカメラのバッテリ残量や、記録媒体の有無等の各種情報をも表示されるように構成されたものがあり、また、カーソル１５０９としては、上記図１２に示したような形状（黒三角）ではなく、代表画像の周囲に額縁のような形状で表示されるように構成されたものもある。
【００１４】
上記図１２の操作画面１５００のようなユーザインターフェイスは、主に静止画像を撮影し再生する所謂ディジタルカメラでのユーザインターフェイスと同様の構成としている。
動画像を扱うディジタルビデオカメラのユーザインターフェイスと、静止画を扱うディジタルカメラのユーザインターフェイスとの違いは、選択対象の画像が、静止画像であるか、或いは動画像を構成するフレームの中の１フレーム画像であるかである。
【００１５】
ところで、動画像の記録媒体として多く用いられているものとしては、例えば、ビデオテープが挙げられ、その記録再生装置としては、ビデオデッキやビデオカメラが挙げられる。
【００１６】
ビデオテープは、当然のことながらランダムアクセスは不可であり、現在位置よりも前後の動画像を再生したい場合には、巻き戻しや早送り等の操作が必要であると共に、その分の時間を要する。
【００１７】
また、ビデオテープを用いた記録再生装置の本体には、例えば、現在の再生位置を示すバー、残量、及びカウンタ等を表示する表示部が設けられており、これによりユーザは、現在のビデオテープの再生位置を認識することができる。
【００１８】
【発明が解決しようとする課題】
しかしながら、上述したような、ランダムアクセス可能な記録媒体を用いた従来のディジタルビデオカメラでは、再生対象とする動画像（ビデオクリップ）の選択時の表示及び操作のための構成に、次のような問題点があった。
【００１９】
例えば、上記図１２に示したような操作画面１５００において、代表画像により再生対象とする動画像（ビデオクリップ）を選択する場合、静止画像では代表画像と本画像が一対一であり問題は無いが、動画像の場合には、常に動画像の先頭から再生するような選択しかできず、動画像の途中からの選択はできない。
【００２０】
また、ランダムアクセス可能な記録媒体を用いた機器ではなく、ビデオテープを用いた機器に慣れ親しんだユーザにとっては、ランダムアクセス可能な記録媒体を用いた機器を操作するのに違和感を受けたり、感覚的に時間の概念が薄れてしまう可能性がある。
【００２１】
そこで、本発明は、上記の欠点を除去するために成されたもので、動画像再生の際に、当該動画像の任意の位置（フレーム）からも容易に再生可能とする、画像処理装置、画像処理方法、プログラム及び記録媒体を提供することを目的とする。
【００２２】
【課題を解決するための手段】
本発明の画像処理装置は、それぞれ動画像を示す複数の動画像データを記録媒体から再生する装置であって、前記複数の動画像データのうち選択された再生対象の動画像データの再生開始位置を任意に指定する再生開始位置指定手段と、前記複数の動画像データを示す複数の代表画像を同一画面上に表示すると共に、前記選択された動画像データの代表画像に関わる所定位置に対して、前記選択された動画像データにおいて前記再生開始位置指定手段により指定された再生開始位置を示すインジケータを表示する表示手段と、前記再生開始位置指定手段により指定された再生開始位置より前記選択された動画像データを再生するよう前記動画像データの再生動作を制御する制御手段とを備えることを特徴とする。
【００２３】
また、本発明の画像処理装置は、それぞれ動画像を示す複数の動画像データを記録媒体から再生する装置であって、前記複数の動画像データを示す複数の代表画像を同一画面上に表示すると共に、前記複数の動画像データのうち選択された再生対象の動画像データの代表画像の表示位置に関わる所定位置に前記選択された動画像データ内における再生開始位置を示すインジケータを表示する表示手段と、前記インジケータの移動を任意に指示する指示手段と、前記指示手段による指示に応じて前記インジケータの表示位置を前記選択された動画像データの代表画像に対する所定の表示範囲内で移動するよう前記表示手段を制御すると共に、前記インジケータの表示位置に基づいて前記選択された動画像データにおける再生開始位置を決定し、前記再生開始位置より前記選択された動画像データを再生するよう前記動画像データの再生動作を制御する制御手段とを備えることを特徴とする。
【００２４】
また、本発明の画像処理方法は、それぞれ動画像を示す複数の動画像データを記録媒体から再生する方法であって、前記複数の動画像データのうち選択された再生対象の動画像データの再生開始位置を任意に指定する再生開始位置指定ステップと、前記複数の動画像データを示す複数の代表画像を同一画面上に表示すると共に、前記選択された動画像データの代表画像に関わる所定位置に対して、前記選択された動画像データにおいて前記再生開始位置指定ステップにより指定された再生開始位置を示すインジケータを表示する表示ステップと、前記再生開始位置指定ステップにより指定された再生開始位置より前記選択された動画像データを再生するよう前記動画像データの再生動作を制御する制御ステップとを備えることを特徴とする。
【００２５】
また、本発明の画像処理方法は、それぞれ動画像を示す複数の動画像データを記録媒体から再生する方法であって、前記複数の動画像データを示す複数の代表画像を同一画面上に表示すると共に、前記複数の動画像データのうち選択された再生対象の動画像データの代表画像の表示位置に関わる所定位置に前記選択された動画像データ内における再生開始位置を示すインジケータを表示手段に表示する表示ステップと、前記インジケータの移動を任意に指示する指示ステップと、前記指示ステップによる指示に応じて前記インジケータの表示位置を前記選択された動画像データの代表画像に対する所定の表示範囲内で移動するよう前記表示手段を制御すると共に、前記インジケータの表示位置に基づいて前記選択された動画像データにおける再生開始位置を決定し、前記再生開始位置より前記選択された動画像データを再生するよう前記動画像データの再生動作を制御する制御ステップとを備えることを特徴とする。
【００２６】
また、本発明のプログラムは、上記の画像処理方法の各ステップをコンピュータに実行させるためのプログラムである。
【００２７】
また、本発明の記録媒体は、上記の画像処理方法の各ステップをコンピュータに実行させるためのプログラムを記録したコンピュータ読み取り可能な記録媒体である。
【００２８】
【発明の実施の形態】
以下、本発明の実施の形態について図面を用いて説明する。
【００２９】
[第１の実施の形態]
本発明は、例えば、図１に示すようなビデオカメラ１００に適用される。
本実施の形態のビデオカメラ１００は、それぞれ一連の動画像に対応した複数の動画像データをディスク１０８から再生するにあたり、特に、ＥＶＦ１１０又は液晶パネル１１２に対して、複数の動画像データの代表画像を同一画面上に表示すると共に、ユーザから操作スイッチ群１１５の操作により指定された再生対象の動画像データの再生開始位置に関する情報を、当該動画像データの代表画像の近傍に表示し、上記再生開始位置に基づき動画像の再生を行なうように構成されている。これにより、動画像再生の際に、当該動画像の任意の位置（フレーム）からも容易に再生することができる。
以下、本実施の形態のビデオカメラ１００の構成及び動作について具体的に説明する。
【００３０】
＜ビデオカメラ１００の構成＞
まず、図２は、上記図１に示した内部構成を有するビデオカメラ１００の外観を示したものである。
【００３１】
上記図２において、２０１は、ビデオカメラ本体である。
ビデオカメラ本体２０１内部には、詳細は後述するが、ハードディスクや光磁気ディスク等の記録媒体に対して、例えば、MPEG（Moving Picture Experts Group）方式等の圧縮処理により得られるMPEGデータの記録及び再生処理を施すための構成を有する。
【００３２】
２０２はレンズ部であるり、２０３はマイクである。マイク２０３は、撮影時の音声をビデオカメラ本体２０１内部に入力するために設けられている。
【００３３】
２０４は電子式ビューファインダ（EVF）である。
ＥＶＦ２０４は、これをユーザが覗き込むことで、撮影時に被写体を狙う或いは確認するために設けられている。また、ＥＶＦ２０４は、ビデオカメラ本体２０１内部に設けられた詳細は後述する制御機能によりＯＮ／ＯＦＦが制御される。
【００３４】
２０５はトリガースイッチである。
トリガースイッチ２０５は、プッシュボタンからなり、これをユーザが操作することで、ユーザの撮影開始又は終了の意思をビデオカメラ本体２０１内部に伝達するために設けられている。また、基本的には、ビデオカメラ本体２０１内部は、詳細は後述するが、トリガースイッチ２０５により指示された撮影開始から終了までを、一つのファイルとして名称を付与して記録すると共に、同時に再生時に必要となる情報も記録されるように構成されている。このような記録情報により、早送り等の特殊再生や各種表示が実現できる。
【００３５】
２０６はモードダイアルである。
モードダイヤル２０６は、例えば、上記図２に示すように（図中右側のモードダイヤル２０６の正面の拡大図参照）、再生モードに設定する機能を示す「再生」、カメラモードに設定する機能を示す「カメラ」、及びOFFにする機能を示す「OFF」が表記された回転式のスイッチである。また、モードダイヤル２０６の近傍のビデオカメラ本体２０１上には、バー２１２が表記されている。
【００３６】
したがって、ユーザは、モードダイアル２０６を回転させ、「再生」、「カメラ」、及び「ＯＦＦ」のうちの所望するモードの表記をバー２１２の位置に合わせることで、所望するモードでビデオカメラ本体２０１内部を起動させることができる。例えば、再生モードでは、カメラ機能がOFF状態となり、記録データの再生が行なわれ、必要に応じて、データ編集やデータ削除等の機能をも実施可能となる。一方、カメラモードでは、撮影を主目的としたモードで起動することになる。
【００３７】
２０７は操作スイッチ群である。
操作スイッチ群２０７は、ユーザがビデオカメラ本体２０１を操作するための、特に、再生系やメニュー操作等のためのキーが配置されたものである。
【００３８】
２０８は液晶パネルである。
液晶パネル２０８は、ビデオカメラ本体２０１の側面に対して開閉自在となるように、また、開いている状態で水平方向にも回転可能なように取り付けられている。また、液晶パネル２０８は、EVF２０４と同様に、撮影時には被写体像の確認、再生時には再生画像の表示を主に行うように構成されている。さらに、液晶パネル２０８は、EVF２０４と同様に、ビデオカメラ本体２０１内部の制御機能により、ＯＮ／ＯＦＦが制御される。
【００３９】
２１１は、液晶パネル２０８が閉じている状態を電気的に検出するためのパネル開閉検出スイッチである。
例えば、液晶パネル２０８のフレームに突起が設けられており、当該突起部分により、液晶パネル２０８が閉じた状態ではパネル開閉検出スイッチ２１１が押される構造になっている。したがって、ビデオカメラ本体２０１内部の制御機能は、パネル開閉検出スイッチ２１１が押され状態と、放された状態との２つの状態を認識可能となる。
【００４０】
２０９は、スピーカーであり、再生時に音声を出力するために設けられている。２１０は、バッテリーであり、ビデオカメラ本体２０１と着脱可能に設けられている。
【００４１】
つぎに、上記図１を用いて、上記図２に示したビデオカメラ本体２０１（ビデオカメラ１００）の内部構成について説明する。
【００４２】
ビデオカメラ１００は、上記図１に示すように、上記図２に示したレンズ部２０２に相当するレンズユニット１０１、ＣＣＤ（charge coupled device）１０２、カメラ信号処理部１０３、上記図２に示したマイク２０３に相当するマイクユニット１０４、圧縮処理部１０５、ディスク制御部１０６、マイクロコンピュータ１０７、ディスク１０８、伸張処理部１０９、上記図２に示したＥＶＦ２０４に相当するEVF１１０、ミキサー１１１、上記図２に示した液晶パネル２０８に相当する液晶パネル１１２、上記図２に示したパネル開閉検出スイッチ２１１に相当するパネル開閉検出スイッチ１１３、上記図２に示したスピーカ２０９に相当するスピーカーユニット１１４、上記図２に示した操作スイッチ群２０７に相当する操作スイッチ群１１５、上記図２に示したモードダイアル２０６に相当するモードダイアル１１６、及び上記図２に示したトリガースイッチ２０５に相当するトリガースイッチ１１７を含む構成としている。
【００４３】
マイクロコンピュータ１０７は、ビデオカメラ１００全体の動作制御を司るものであり、このマイクロコンピュータ１０７の制御により、ここで説明するようなビデオカメラ１００の機能が実施される。
【００４４】
レンズユニット１０１は、例えば、集光のための固定レンズ群、変倍レンズ群、及び絞りと共に、変倍レンズ群の動きで移動した結像位置を補正する機能、及び焦点調節を行う機能を兼ね備えた補正レンズ群を含む構成としている。
このような構成のレンズユニット１０１により、最終的にＣＣＤ（撮像センサ）の結像面上に被写体像が結像される。
【００４５】
ＣＣＤ１０２は、レンズユニット１０１からの被写体光を電荷に変換することで、当該被写体の撮像信号を生成して出力する。
カメラ信号処理部１０３は、ＣＣＤ１０２からの撮像信号に対して所定の処理を施すことで、ディジタル画像データを生成して出力する。
【００４６】
マイクユニット１０４は、撮影時に音声を収集するために設けられており、所定の増幅、帯域制限、及びAD変換器等の構成を含み、当該構成によりディジタル音声データを生成して出力する。
【００４７】
圧縮処理部１０５は、カメラ信号処理部１０３で得られたディジタル画像データ、及びマイクユニット１０４で得られたディジタル音声データに対して、例えば、MPEG（Moving Picture Experts Group）方式等の圧縮処理をリアルタイムに施すことで、圧縮ビデオデータを生成して出力する。
【００４８】
ディスク１０８としては、例えば、光磁気ディスクのような書換可能な記録媒体を適用可能である。
ディスク制御部１０６は、ディスク１０８に対する、データの書込／読出の制御を行う。このとき、ディスク制御部１０６は、例えば、DOSファイルシステム等のパーソナルコンピュータ（パソコン）で用いられるフォーマットに従って、当該書込／読出制御を行なう。
【００４９】
伸張処理部１０９は、ディスク制御部１０６を介してディスク１０８から読み出されたMPEGデータをビデオデータに変換して出力する。また、伸張処理部１０９は、当該MPEGデータから得られた伸張後の画像データを、任意の大きさの画像のデータに縮小或いは拡大して出力可能な機能を有する。
【００５０】
ミキサ１１１は、マイクロコンピュータ１０７の制御により、カメラ信号処理部１０３で得られたディジタル画像データと、伸張処理部１０９で得られた画像データ（再生画像データ）とのうち一方の画像データを選択して出力し、また、必要に応じて、情報やビットマップ等を重ね合わせて出力する機能を有する。また、ミキサ１１１は、それぞれを独立して制御可能な２チャンネル（ｃｈ）の出力段を有する。
【００５１】
EVF１１０及び液晶パネル１１２はそれぞれ、ミキサ１１１の出力データを受けて表示出力する。また、EVF１１０及び液晶パネル１１２はそれぞれ、その電源が独立しており、マイクロコンピュータ１０７の制御により、ビデオカメラ１００本体とは独立してON／OFFすることが可能に構成されている。
【００５２】
パネル開閉検出スイッチ１１３は、液晶パネル１１２の開閉状態を検出し、当該検出結果をマイクロコンピュータ１０７に対して通知する。
スピーカーユニット１１４は、ディスク１０８に記録されたMPEGデータの再生時において、伸張処理部１０９で得られた音声データを音声として出力する。また、スピーカーユニット１１４から出力される音声のボリュームは、マイクロコンピュータ１０７から制御可能である。
【００５３】
操作スイッチ群１１５は、ユーザがビデオカメラ１００を操作するために設けられたものであり、セットキー１１５＿ａ、プラスキー１１５＿ｂ、マイナスキー１１５＿ｃ、修正キー１１５＿ｄ、及び再生キー１１５＿ｅを含んでいる。
セットキー１１５＿ａは、メニュー等で選択した項目を決定し、当該項目に対応する動作を行なわせるため等に、ユーザから操作（押下）されるキーである。プラスキー１１５＿ｂ及びマイナスキー１１５＿ｃは、メニューの複数の項目等の中から１つを選択するために、ユーザから操作（押下）されるキーである。
【００５４】
尚、操作スイッチ群１１５には、上記図１に示したキー１１５＿ａ〜１１５＿ｅに限られることはなく、その他の任意の処理を実行させるためのキーが含まれるものとしてもよい。
【００５５】
モードダイアル１１６は、「再生」モード、「カメラ」モード、及び「OFF」を選択するためのスイッチである。
トリガースイッチ１１７は、モードダイアル１１６により「カメラ」モードが選択設定された場合に、ユーザからの操作（トリガースイッチ１１７の押下）に基づいて、撮影開始ポイント及び撮影終了ポイントのイベントを発生させる。
【００５６】
尚、モードダイアル１１６及びトリガースイッチ１１７は、操作スイッチ群１１５と同様にユーザから操作されるものであるが、上記図２を用いた説明で独立させたので同様にした。
【００５７】
＜ビデオカメラ１００の動作＞
ここでは、ビデオカメラ１００の特徴とする動作である、「再生」モード時の動作について説明する。
【００５８】
図３は、マイクロコンピュータ１０７の制御により、EVF１１０又は液晶パネル１１２で表示される、ビデオクリップ（動画像）の再生選択画面３００（ＧＵＩ）の一例を示したものである。
【００５９】
尚、ビデオカメラ１００に対して、例えば、テレビモニタに対してデータ出力するためのビデオ出力端子や、PCや、ディジタルテレビ、或いはビデオデッキ等と接続するためのIEEE1394端子やUSBが搭載されている場合、その接続先の機器にも再生選択画面３００が表示されるようにしてもよい。
【００６０】
再生選択画面３００は、上記図３に示すように、ビデオクリップの代表画像表示領域３０３〜３０８、スライダ３１０、ポインタ３１１、及びビデオクリップ情報表示領域３０２と共に、特に、選択枠３２１及びインジケータ３２２を含む構成としている。
【００６１】
尚、代表画像表示領域３０３〜３０８、スライダ３１０、ポインタ３１１、及びビデオクリップ情報表示領域３０２については、上記図１２に示した代表画像表示領域１５０３〜１５０８、スライダ１５１０、ポインタ１５１１、及びビデオクリップ情報表示領域１５０２と同様の機能を有するため、ここでは、これらの詳細な説明は省略し、本実施の形態の特徴とする構成及び動作について具体的に説明する。
【００６２】
選択枠３２１は、代表画像表示領域３０３〜３０８に表示されてる代表画像により、現在選択されているビデオクリップをユーザに知らしめるために表示されるものである。
【００６３】
インジケータ３２２は、現在再生命令が発生した時に開始する位置を示すものである。
すなわち、インジケータ３２２は、選択枠３２１で現在選択されているビデオクリップにおいて、先頭位置を左端、最後尾位置を右端とし、選択枠３２１の範囲を移動するものである。
【００６４】
上記図３では、一例として、選択枠３２１により、代表画像表示領域３０５で表示されている代表画像に対応するビデオクリップが選択されており、さらに、インジケータ３２２により、再生命令が発生した時には当該ビデオクリップの最後尾から再生開始することが示されている。
【００６５】
本実施の形態では、選択枠３２１及びインジケータ３２２の動作（表示の動き）の構成を特徴としており、以下に説明するような選択枠３２１及びインジケータ３２２の動作は、マイクロコンピュータ１０７の制御により実施される。
【００６６】
具体的には、まず、図４（ａ）は、現在、代表画像表示領域３０５で表示されている代表画像に対応するビデオクリップが選択された状態を示している。このとき、インジケータ３２２は、選択枠３２１内の右端（選択ビデオクリップの最後尾位置）に位置している。
【００６７】
ユーザは、マイナスキー１１５＿ｃを操作（押下）すると、この操作を認識したマイクロコンピュータ１０７の制御により、上記図４（ｂ）に示すように、選択枠３２１内において、インジケータ３２２が左方向へと移動する。
【００６８】
ユーザは、さらのマイナスキー１１５＿ｃを操作（押下）し続けると、この操作を認識したマイクロコンピュータ１０７の制御により、上記図４（ｃ）に示すように、選択枠３２１内において、インジケータ３２２が左端へと移動する。
【００６９】
上述のようなインジケータ３２２の動作は、例えば、実際には記録媒体はディスク１０８であるが、ユーザにとっては記録媒体がビデオテープであり、これを巻き上げるかのようにイメージされる。
【００７０】
インジケータ３２２が、上記図４（ｃ）に示したように左端まで移動した後、すなわちユーザに対してビデオクリップの先頭まで巻き上げたイメージが表示された後、図５に示すように、選択枠３２１及びインジケータ３２２は、代表画像表示領域３０５から代表画像表示領域３０４へと移動し、この状態で、インジケータ３２２は、上記図４（ａ）〜（ｃ）を用いて説明したような動作が実施可能となる。
【００７１】
上述のようにして、マイクロコンピュータ１０７の制御により、選択枠３２１が、先頭のビデオクリップの代表画像が表示された代表画像表示領域（ここでは代表画像表示領域３０３）まで移動し、さらにインジケータ３２２が、当該代表画像表示領域の左端まで移動すると（そのビデオクリップの先頭まで巻き戻したイメージ）、選択枠３２１及びインジケータ３２２の動作が終了する。
【００７２】
或いは、動作中にユーザが再生キー１１５＿eを押下すると、マイクロコンピュータ１０７の制御により、選択枠３２１及びインジケータ３２２の動作が終了し、その時点で選択枠３２１が存在する代表画像表示領域に対応するビデオクリップが、その時点でインジケータ３２２により示される位置からの再生が開始される。
【００７３】
例えば、代表画像表示領域３０５に対応するビデオクリップの全長１０分であり、上記図４（ｂ）に示したインジケータ３２２の状態の時に、ユーザから再生キー１１５＿eが押下されたとする。また、上記図４（ｂ）のインジケータ３２２の位置は、当該ビデオクリップの全長の7割に相当する位置であるとする。この場合、当該ビデオクリップの先頭から7分の位置から再生が開始される。
【００７４】
このときのインジケータ３２２の移動速度は、例えば、
所定値÷選択枠３２１が指し示すビデオクリップの長さ（通常再生時間）で表せ、ビデオデッキ等で一般的に表現される所謂N倍速に相当する。
【００７５】
尚、上記所定値は、インジケータ３２２の移動速度を決定する値であるが、例えば、上記所定値を複数段階設け、メニュー等によってユーザが任意に選択可能とする、或いは状況によって可変するように構成してもよい。
【００７６】
また、ユーザがプラスキー１１５＿bを押下すると、マイクロコンピュータ１０７の制御により、それまでの早送り方向にインジケータ３２２の移動動作が、最後のビデオクリップの終端まで、或いはユーザから再生開始の指示がなされるまで続けられる。
【００７７】
したがって、従来では、上記図１２を用いて説明したように、ビデオクリップの中途からダイレクトに再生を開始するような操作ができなかったが、本実施の形態によれば、この操作が可能となる。また、ユーザに対する表示及び操作が、従来多く用いられていたテープ記録媒体（ビデオテープ等）のビデオデッキ等に近く、違和感がなく親しみ易い。
【００７８】
[第２の実施の形態]
まず、例えば、本発明を適用可能なビデオカメラとしては、静止画撮影機能を搭載したものが挙げられる。
【００７９】
ビデオテープを記録媒体としたビデオカメラでは、静止画撮影により取得した画像をビデオテープに記録する場合、例えば、６秒間等の所定時間の繰り返し記録を行なう。
これに対して、メモリーカードやディスクを記録媒体としたビデオカメラの場合、静止画撮影により取得した画像を、ＪＰＥＧ（Joint Photographic Coding Experts Group）方式等で圧縮し、当該圧縮画像を静止画ファイルとして記録媒体に記録するのが一般的である。
【００８０】
ここで、第１の実施の形態では、代表画像群を用いた再生選択画面３００（上記図３参照）では、動画像を選択対象としたが、静止画や、静止画と動画を混在させたものから選択可能とするようにしてもよい。しかしながら、第１の実施の形態では、インジケータ３２２の移動速度を通常再生時間に依存して決定するように構成したので、インジケータ３２２が動画像の代表画像表示領域に移動した場合には問題ないが、静止画像の代表画像表示領域に移動した場合、当該代表画像表示領域をスキップして次の代表画像表示領域に移動する、或いはそのまま停止してしまう可能性がある。
【００８１】
そこで、本実施の形態では、再生選択画面３００において、選択対象とする画像が動画と静止画で混在する場合、上記の問題を解決するために、以下に説明するような構成及び動作とする。
【００８２】
＜本実施の形態におけるビデオカメラ１００の構成＞
例えば、図６に示すように、本実施の形態におけるビデオカメラ１００は、上記図１に示した構成に加えて、静止画記録トリガー４２０を更に設けた構成としている。
【００８３】
静止画記録トリガー４２０が、モードダイヤル１１６によりカメラモードが設定されているときに、ユーザから操作（押下）されると、静止画撮影が実行される。
【００８４】
静止画記録トリガー４２０は、押下状態でない第一の位置、浅く押下された状態の第二の位置、及び深く押下された状態の第三の位置を、マイクロコンピュータ１０７により検出可能な構成としている。
【００８５】
例えば、マイクロコンピュータ１０７は、静止画記録トリガー４２０の第二の位置を検出すると、露出やオートフォーカスによるピント等を決定し、静止画記録トリガー４２０の第三の位置を検出すると、撮影画像を静止画像として記録するための動作制御を行なう。
【００８６】
このため、圧縮処理部１０５は、第１の実施の形態における機能と同様な機能の他、静止画像を、例えば、JPEG方式等により圧縮し、当該圧縮静止画像データを出力する機能を有する。
また、伸張処理部１０９は、第１の実施の形態における機能と同様な機能の他、圧縮静止画像データを伸張して元の静止画像データを復元し、これを出力する機能を有する。
【００８７】
＜本実施の形態におけるビデオカメラ１００の動作＞
ここでは、本実施の形態におけるビデオカメラ１００の特徴とする動作である、「再生」モード時の動作について説明する。
【００８８】
図７は、マイクロコンピュータ１０７の制御により、EVF１１０又は液晶パネル１１２で表示される、本実施の形態における再生選択画面３００の一例を示したものである。
【００８９】
上記図７の再生選択画面３００は、第１の実施の形態における再生選択画面３００（上記図３等参照）の構成及び動作と基本的には同様のものであるが、代表画像表示領域３０４´に関して、静止画撮影により得られた静止画像の縮小画像が代表画像として表示されている。
【００９０】
すなわち、本実施の形態における再生選択画面３００の代表画像表示領域３０３〜３０８には、動画（ビデオクリップ）の代表画像と、静止画の代表画像とが混在して表示されており、ユーザは、再生画像を、動画と静止画で任意に選択可能である。
【００９１】
また、本実施の形態における再生選択画面３００においても、選択枠３２１が設けられており、例えば、ユーザがマイナスキー１１５＿ｃを押下すると、マイクロコンピュータ１０７の制御により、第１の実施の形態で説明したように、インジケータ３２２が左方向へと移動する。
【００９２】
特に、本実施の形態では、選択枠３２１が次の代表画像の代表画像表示領域へと移動するときに、マイクロコンピュータ１０７は、当該代表画像表示領域に表示されている代表画像が、動画像のものであるか、静止画像のものであるかを判断する。
【００９３】
上記の判断の結果、静止画像である場合、マイクロコンピュータ１０７は、予め保持している、インジケータ３２２の移動速度を所定速度とするための静止画時インジケータ移動速度データに基づき、インジケータ３２２を移動させる。
【００９４】
尚、上記の静止画時インジケータ移動速度データは、例えば、初期値の他に、メニュー等でユーザが任意に設定可能にしてもよい。
【００９５】
また、選択枠４１１が静止画像に対応する代表画像表示領域３０４´に位置している状態で、ユーザが再生キー１１５＿eを押下すると、マイクロコンピュータ１０７は、当該静止画像を画面全体に再生表示させる。
【００９６】
また、ユーザがマイナスキー１１５＿ｃではなくプラスキー１１５＿bを押下すると、マイクロコンピュータ１０７は、第１の実施の形態と同様にして逆方向の移動制御を行なう。
【００９７】
図８は、上述したようなマイクロコンピュータ１０７による動作制御をフローチャートにより示したものである。
例えば上記図７に示したような状態の再生選択画面３００において、ユーザからマイナスキー１１５＿ｃ又はプラスキー１１５＿bが押下されると、以下に説明する動作が開始される。
【００９８】
尚、便宜上トリガーがマイナスキー１１５＿ｃの場合を巻き戻し、プラスキー１１５＿bの場合を早送りと呼ぶことにする。
【００９９】
ステップＳ５０２：
マイクロコンピュータ１０７は、初期化処理を実行する。
例えば、マイクロコンピュータ１０７は、選択枠３２２により現在ビデオクリップが選択されている場合、インジケータ３２１を当該ビデオクリップの代表画像表示領域の現在相当位置にセットし、選択枠３２１により現在静止画が選択されている場合、インジケータ３２２を当該静止画の代表画像表示領域の始端にセットする。
ここでの「始端」とは、巻き戻しでは選択枠３２２の右端、早送りでは左端のことを示す。後述する「終端」はこの逆である。
【０１００】
ステップＳ５０３：
マイクロコンピュータ１０７は、インジケータ３２２が終端であるか否かを判別する。例えば、マイクロコンピュータ１０７は、送る方向と現在のインジケータ３２２の位置から、当該判別を行なう。
この判別の結果、インジケータ３２２が終端である場合にはステップＳ５０８に進み、そうでない場合にはステップＳ５０４に進む。
【０１０１】
ステップＳ５０４：
インジケータ３２２が終端でない場合、マイクロコンピュータ１０７は、現在選択枠３２１が存在する代表画像表示領域の代表画像が指し示す画像が静止画像であるか、或いはビデオクリップであるかを判別する。
この判別の結果、静止画像である場合にはステップＳ５０５に進み、ビデオクリップである場合にはステップＳ５０６に進む。
【０１０２】
ステップＳ５０５：
現在選択枠３２１が存在する代表画像表示領域の代表画像が指し示す画像が静止画像である場合、マイクロコンピュータ１０７は、所定値Data1の分だけ、インジケータ３２２の表示位置を送り方向に移動する。
ここでの所定値Data1とは、予めマイクロコンピュータ１０７内のROM等に記憶されているデータである。
その後、ステップＳ５０７に進む。
【０１０３】
ステップＳ５０６：
現在選択枠３２１が存在する代表画像表示領域の代表画像が指し示す画像がビデオクリップである場合、マイクロコンピュータ１０７は、（所定値Data２÷現在選択されているビデオクリップの記録時間）の分だけ、インジケータ３２２の表示位置を送り方向に移動する。
ここでの所定値Data2とは、予めマイクロコンピュータ１０７内のROM等に記憶されているデータである。
その後、ステップＳ５０７に進む。
【０１０４】
ステップＳ５０７：
マイクロコンピュータ１０７は、所定時間を意味するconst1の分だけ停止する。
具体的には例えば、ここでの処理は、マイクロコンピュータ１０７でリアルタイムOS等を用いている場合、本処理を実行するタスクを待ち状態に遷移させることを意味するものであり、マイクロコンピュータ１０７を停止させるものではない。
その後、再びステップＳ５０３へと戻り、ステップＳ５０３〜ステップＳ５０７の処理は、ステップＳ５０３でインジケータ３２２が終端であると判別されるまで繰り返し実行される。
【０１０５】
ステップＳ５０８：
ステップＳ５０３の判別の結果、インジケータ３２２が終端である場合、マイクロコンピュータ１０７は、選択枠３２１を次の代表画像表示領域へと移動させるにあたり、当該代表画像表示領域が存在するか否か（次の画像が存在するか否か）を判別する。
この判別の結果、次の画像が存在する場合にはステップＳ５１０に進み、そうでない場合、すなわち送り方向の最後の画像まで達している場合、表示や内部フラグ等必要な処理の実行後、本処理終了となる。
【０１０６】
ステップＳ５１０：
次の画像が存在する場合、マイクロコンピュータ１０７は、インジケータ３２２を始端にセット（表示）する。
静止画像の場合の始端とは、巻き戻しでは選択枠３２１の右端に、早送りでは左端を意味する。
その後、再びステップＳ５０３へと戻る。
【０１０７】
尚、上記図８に示した一連の処理は、上述の通り、再生キー１１５＿ｅが押された時点で終了する。
【０１０８】
上述したような本実施の形態によれば、第１の実施の形態で得られる効果に加え、静止画像とビデオクリップが混在する場合であっても有効に作用する。
【０１０９】
[第３の実施の形態]
第１及び第２の実施の形態では、ディスク１０８の再生時の動作（テープ状記録媒体の早送り／巻き戻し動作に対応する動作）において、再生選択画面３００の選択枠３２１とインジケータ３２２の動作に特徴を持たせたが、本実施の形態では、さらに複数枚配列された代表画像をも変化させる。
【０１１０】
具体的には、図９は、マイクロコンピュータ１０７の制御により、EVF１１０又は液晶パネル１１２で表示される、本実施の形態における再生選択画面６００の一例を示したものである。
【０１１１】
尚、上記図９の再生選択画面６００において、上記図３等に示した再生選択画面３００と同様に機能する箇所には同じ符号を付し、その詳細な説明は省略する。
【０１１２】
代表画像表示領域６０３、６０４、及び６０６〜６０８は、ビデオクリップを構成するフレームの中から1フレームを選択し、これを縮小した縮小画像が代表画像として表示される領域である。
特に、代表画像表示領域６０３及び６０４には、該当するビデオクリップを構成するフレームの最後のフレームを縮小したものが代表画像として表示される。一方、代表画像表示領域６０６〜６０８には、該当するビデオクリップを構成するフレームの先頭のフレームを縮小したものが代表画像として表示される。
また、代表画像表示領域６０５には、静止画像の代表画像（縮小画像）が表示される。
【０１１３】
上記図９では、選択枠３２１により、代表画像表示領域６０４のビデオクリップが選択され、さらにユーザ操作により再生命令が発生した場合、当該ビデオクリップの最後尾から再生開始することを示している。
【０１１４】
本実施の形態の特徴とする構成は、マイクロコンピュータ１０７の制御により、ビデオクリップの代表画像が変化していくところにあり、これに関しては図１０（ａ）〜（ｃ）を用いて説明する。
【０１１５】
まず、上記図１０（ａ）は、現在、代表画像表示領域６０４で表示されている代表画像（最後のフレーム６０４（Ｅ））に対応するビデオクリップが選択された状態を示している。このとき、インジケータ３２２は、選択枠３２１内の右端（選択ビデオクリップの最後尾位置）に位置している。
【０１１６】
ユーザは、マイナスキー１１５＿ｃを操作（押下）すると、この操作を認識したマイクロコンピュータ１０７の制御により、上記図１０（ｂ）に示すように、選択枠３２１内において、インジケータ３２２が左方向へと移動する。
【０１１７】
このとき、マイクロコンピュータ１０７の制御により、インジケータ３２２の移動に伴って、代表画像表示領域６０４の表示が、代表画像（最後のフレーム６０４（Ｅ））から代表画像（最後のフレームから先に戻ったフレーム６０４（Ｍ））へと変化する。すなわち、画像表示（フレーム表示）そのものが、テープ状記録媒体の巻き戻しのように変化していく。
ここでの変化間隔は、例えば、予め決定された間隔としているが、画像が大きく変化する度に変化させるようにしてもよい。
【０１１８】
ユーザは、さらのマイナスキー１１５＿ｃを操作（押下）し続けると、この操作を認識したマイクロコンピュータ１０７の制御により、上記図１０（ｃ）に示すように、選択枠３２１内において、インジケータ３２２が左端へと移動する。
【０１１９】
このときにおいても、マイクロコンピュータ１０７の制御により、インジケータ３２２の移動に伴って、代表画像表示領域６０４の表示が、代表画像（フレーム６０４（Ｍ））から代表画像（先頭のフレーム６０４（Ｔ））へと変化する。
【０１２０】
上述のように本実施の形態では、選択枠３２１が存在する画像より前（巻き戻し方向）のビデオクリップの代表画像表示領域には、当該ビデオクリップの最後のフレームを縮小したものを表示し、選択枠３２１が存在する画像より後（早送り方向）にあるビデオクリップの代表画像表示領域には、当該ビデオクリップの先頭のフレームを縮小したものを表示する。また、選択枠３２１が存在する画像がビデオクリップである場合、当該ビデオクリップの代表画像表示領域には、インジケータ３２２の位置に応じたフレームの縮小画像を表示する。
【０１２１】
尚、静止画については第２の実施の形態と同様であるため、その詳細な説明は省略する。
【０１２２】
したがって、本実施の形態によれば、第１及び第２の実施の形態で得られる効果に加え、再生選択画面６００において、ビデオクリップの縮小画像が変化するため、ユーザは所望する再生開始のポイントを見つけやすくなる。
【０１２３】
尚、本発明の目的は、第１〜第３の実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が第１〜第３の実施の形態の機能を実現することとなり、そのプログラムコードを記憶した記憶媒体及び当該プログラムコードは本発明を構成することとなる。
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、第１〜第３の実施の形態の機能が実現されるだけでなく、そのプログラムコードの指示に基づき、コンピュータ上で稼動しているＯＳ等が実際の処理の一部又は全部を行い、その処理によって第１〜第３の実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１〜第３の実施の形態の機能が実現される場合も含まれることは言うまでもない。
【０１２４】
図１１は、上記コンピュータの機能８００を示したものである。
コンピュータ機能８００は、上記図１１に示すように、ＣＰＵ８０１と、ＲＯＭ８０２と、ＲＡＭ８０３と、キーボード（ＫＢ）８０９のキーボードコントローラ（ＫＢＣ）８０５と、表示部としてのＣＲＴディスプレイ（ＣＲＴ）８１０のＣＲＴコントローラ（ＣＲＴＣ）８０６と、ハードディスク（ＨＤ）８１１及びフレキシブルディスク（ＦＤ）８１２のディスクコントローラ（ＤＫＣ）８０７と、ネットワーク８２０との接続のためのネットワークインターフェースコントローラ（ＮＩＣ）８０８とが、システムバス８０４を介して互いに通信可能に接続された構成としている。
【０１２５】
ＣＰＵ８０１は、ＲＯＭ８０２或いはＨＤ８１１に記憶されたソフトウェア、或いはＦＤ８１２より供給されるソフトウェアを実行することで、システムバス８０４に接続された各構成部を総括的に制御する。
すなわち、ＣＰＵ８０１は、所定の処理シーケンスに従った処理プログラムを、ＲＯＭ８０２、或いはＨＤ８１１、或いはＦＤ８１２から読み出して実行することで、第１〜第３の実施の形態での動作を実現するための制御を行う。
【０１２６】
ＲＡＭ８０３は、ＣＰＵ８０１の主メモリ或いはワークエリア等として機能する。
ＫＢＣ８０５は、ＫＢ８０９や図示していないポインティングデバイス等からの指示入力を制御する。
ＣＲＴＣ８０６は、ＣＲＴ８１０の表示を制御する。
ＤＫＣ８０７は、ブートプログラム、種々のアプリケーション、編集ファイル、ユーザファイル、ネットワーク管理プログラム、及び第１〜第３の実施の形態における所定の処理プログラム等を記憶するＨＤ８１１及びＦＤ８１２とのアクセスを制御する。
ＮＩＣ８０８は、ネットワーク８２０上の装置或いはシステムと双方向にデータをやりとりする。
【０１２７】
【発明の効果】
以上説明したように本発明によれば、動画像を含む複数の画像を記録媒体から再生するにあたり、複数の画像の代表画像（動画像の場合には当該動画像を構成する一連のフレームの中の任意のフレームの縮小画像等）を同一画面上に表示すると共に、これらの代表画像により再生対象画像として選択された画像（再生対象画像）の代表画像に関わる所定位置（代表画像の近傍位置等）に対して、再生対象画像の再生動作に基づき、再生対象画像を再生開始位置を示す情報を表示するように構成した。
【０１２８】
このような構成により、代表画像を複数枚表示して再生画像を選択させるGUI等において、動画像（ビデオクリップ）を再生する場合、当該動画像の中途からダイレクトに再生を開始するような操作が可能となる。また、記録媒体が、例えば、ディスク状記録媒体であったとしても、ユーザに対して、動画像の再生開始位置を、テープ状記録媒体を巻き上げるかのようにイメージして表示することができるので、テープ状記録媒体に慣れているユーザにとって感覚的に親しみ易くなる。
【図面の簡単な説明】
【図１】第１の実施の形態において、本発明を適用したビデオカメラの構成を示すブロック図である。
【図２】上記ビデオカメラの外観図である。
【図３】上記ビデオカメラで表示される、ビデオクリップ（動画像）の再生選択画面（インデックス画面）の一例を説明するための図である。
【図４】上記再生選択画面において、選択枠及びインジケータの動作を説明するための図である。
【図５】上記再生選択画面において、上記選択枠及びインジケータが次のビデオクリップに移動した状態を説明するための図である。
【図６】第２の実施の形態において、本発明を適用したビデオカメラの構成を示すブロック図である。
【図７】上記ビデオカメラで表示される、ビデオクリップ（動画像）又は静止画の再生選択画面（インデックス画面）の一例を説明するための図である。
【図８】上記ビデオカメラの動作を説明するための図である。
【図９】第３の実施の形態における上記再生選択画面（インデックス画面）の一例を説明するための図である。
【図１０】上記再生選択画面において、選択枠及びインジケータの動作を説明するための図である。
【図１１】上記ビデオカメラの機能をコンピュータに実現させるためのプログラムをコンピュータ読出可能な記憶媒体から読み出して実行する当該コンピュータの構成を示すブロック図である。
【図１２】従来の再生選択画面を説明するための図である。
【符号の説明】
１００  ビデオカメラ
１０１  レンズユニット
１０２  ＣＣＤ
１０３  カメラ信号処理部
１０４  マイクユニット
１０５  圧縮処理部
１０６  ディスク制御部
１０７  マイクロコンピュータ
１０８  ディスク
１０９  伸張処理部
１１０  電子式ビューファインダー（EVF）
１１１  ミキサ
１１２  液晶パネル
１１３  パネル開閉検出スイッチ
１１４  スピーカーユニット
１１５  操作スイッチ群
１１６  モードダイアル
１１７  トリガースイッチ
２０１  ビデオカメラ本体
２０２  レンズ部
２０３  マイク
２０４  電子式ビューファインダー（EVF）
２０５  トリガースイッチ
２０６  モードダイアル
２０７  操作スイッチ群
２０８  液晶パネル
２０９  スピーカ
２１０  バッテリ
２１１  パネル開閉検出スイッチ
２１２  バー
３０１  再生選択画面
３０２  ビデオクリップ情報表示領域
３０３〜３０８  代表画像表示領域
３０９  カーソル
３１０  スライダー
３１１  ポインター（スライダーの一部）
３２１  選択枠
３２２  インジケータ
【図１】
0003870123.tif 000002
【図２】
0003870123.tif 000003
【図３】
0003870123.tif 000004
【図４】
0003870123.tif 000005
【図５】
0003870123.tif 000006
【図６】
0003870123.tif 000007
【図７】
0003870123.tif 000008
【図８】
0003870123.tif 000009
【図９】
0003870123.tif 000010
【図１０】
0003870123.tif 000011
【図１１】
0003870123.tif 000012
【図１２】
0003870123.tif 000013